(57)【要約】【課題】  グループで来園した来園者の場合であっても、撮影された全員の全画像を閲覧できるようにして、来園者の予算内の金額で所望とする写真を提供できる写真撮影サービスを可能にする。【解決手段】  デジタルカメラ１００は、来園者が携帯する無線タグ２００との交信機能を持ち、撮影時に無線タグ２００が発するタグＩＤ等の被写体情報を撮影画像と共に取得する。また、デジタルカメラ１００はこのようにして取得した被写体情報と撮影画像とを園内のネットワーク６００を介して画像サーバ３００へ送る機能を有している。要求端末４００は、来園者グループのメンバー全員のタグＩＤを基に、撮影済みの画像からメンバーが映っている写真画像を画像サーバ３００より検索して、所望の写真画像を来園者に選択させて、指定された媒体（例えばプリンタ５００による印刷やフラッシュメモリ、携帯電話等）への出力を行う。【選択図】        図１
2005216092.tif 000002
【特許請求の範囲】
【請求項１】
個々の被写体が所持する発信機が発する発信機固有のＩＤと撮影画像とを関連付けて記憶して、同一のグループを構成する被写体が個々に所持する発信機の固有ＩＤを基に前記記憶した撮影画像を検索して表示し、所望する撮影画像を指示された媒体に書き込むようにしたことを特徴とする写真撮影サービス方法。
【請求項２】
前記発信機はＲＦＩＤタグで、固有のＩＤはタグナンバーであることを特徴とする請求項１記載の写真撮影サービス方法。
【請求項３】
前記発信機はＢｌｕｅｔｏｏｔｈを用いて構成した発信機で、固有のＩＤはＢｌｕｅｔｏｏｔｈアドレスであることを特徴とする請求項１記載の写真撮影サービス方法。
【請求項４】
前記書き込み用の媒体はフラッシュメモリで構成された媒体であることを特徴とする請求項１記載の写真撮影サービス方法。
【請求項５】
前記書き込み用の媒体は携帯電話であることを特徴とする請求項１記載の写真撮影サービス方法。
【請求項６】
被写体画像を含む撮影画像と被写体が所持する発信機が発する固有ＩＤ情報とを取得するデジタルカメラと、該デジタルカメラが取得した前記撮影画像とＩＤ情報とを記憶する画像サーバと、該画像サーバに記憶された撮影画像の中からＩＤ情報を基に検索して表示し、出力する撮影画像を決定する端末装置とからなる写真撮影サービスシステムにおいて、前記端末装置は前記画像サーバからグループ全員が所持する発信機のＩＤ情報を基に撮影画像を検索することを特徴とする写真撮影サービスシステム。
【請求項７】
請求項６記載の写真撮影サービスシステムにおいて、プリンタ装置を設け、前記出力が決定した撮影画像を前記プリンタ装置から印刷して提供することを特徴とする写真撮影サービスシステム。
【請求項８】
請求項６記載の写真撮影サービスシステムにおいて、フラッシュメモリへの書き込み装置を設け、前記出力が決定した撮影画像を前記フラッシュメモリへ書き込んで提供することを特徴とする写真撮影サービスシステム。
【請求項９】
撮影時に被写体画像を含む撮影画像を取得する撮像部と、被写体が所持する発信機が発する固有ＩＤ情報を取得するＩＤ情報入力部と、前記撮影画像およびＩＤ情報とを関連付けて画像記憶部に記憶する画像ファイル記憶部と、前記画像記憶部に記憶した撮影画像およびＩＤ情報とを出力する画像出力部とを備えたことを特徴とするデジタルカメラ。
【請求項１０】
前記ＩＤ情報入力部は、無線を用いて固有ＩＤ情報を取得することを特徴とする請求項９記載のデジタルカメラ。
【発明の詳細な説明】
【技術分野】
【０００１】
本発明は、写真撮影サービスに関し、特に撮影した写真画像の提示および引渡しに関する。
【背景技術】
【０００２】
近年、例えば遊園地園内において、カメラマンが来園者をインスタントカメラなどで撮影して、撮影した写真をその場で来園者に確認して貰い、気に入れば購入して貰うというサービスがある。また、特許文献１には、撮影した画像と被写体との関連付けをＩＣカードと、撮影時の衣装に装着されたＲＦＩＤタグを用いて、撮影後に特定の被写体での衣装別撮影画像を容易に分類および提供できる写真撮影受付け、プリント作成方法が示されている。
【特許文献１】特開２００３−３７７９８公報
【発明の開示】
【発明が解決しようとする課題】
【０００３】
しかし、遊園地においては、撮影機会が複数回ある場合は、来園者は購入する写真を以後に撮影する写真と比較することができず、後でもっといい写真が撮れるかも知れないと思い、購入するかどうかの判断に迷い、購入を諦めるか、あるいは全ての写真を購入してしまうことになり、来園者には不便な場合もある。
また、特許文献１では、写真館のような被写体が極少ないか（１〜３人ぐらい）、たとえ複数いても整然と行動することが想定されている。一方遊園地のような場所では、グループで一緒に行った複数の仲間が、例えば乗り物に乗っていたり、飲み物を買いに行っている場合等があり、別々に行動する機会が多い。このような場合は、一人ひとりが映っている所望とする写真を探すことは可能ではあるが、全員あるいは何人かで撮影した写真についてもそれぞれ１人づつ探さねばならず非効率である。
本発明は、このような事情に鑑みてなされたもので、グループで来園した来園者の場合であっても、撮影された全員の全画像を閲覧できるようにして、来園者の予算内の金額で所望とする写真を提供できる写真撮影サービスを可能にすることを目的とする。
【課題を解決するための手段】
【０００４】
上記の課題を解決するために、請求項１に記載の写真撮影サービス方法は、個々の被写体が所持する発信機が発する発信機固有のＩＤと撮影画像とを関連付けて記憶して、同一のグループを構成する被写体が個々に所持する発信機の固有ＩＤを基に前記記憶した撮影画像を検索して表示し、所望とされた撮影画像を指示された媒体に書き込むようにしたことを特徴とする。
また、請求項２は、請求項１記載の写真撮影サービス方法において、前記発信機はＲＦＩＤタグで、固有のＩＤはタグナンバーであることを特徴とする。
また、請求項３は、請求項１記載の写真撮影サービス方法において、前記発信機はＢｌｕｅｔｏｏｔｈを用いて構成した発信機で、固有のＩＤはＢｌｕｅｔｏｏｔｈアドレスであることを特徴とする。
また、請求項４は、請求項１記載の写真撮影サービス方法において、前記書き込み用の媒体はフラッシュメモリで構成された媒体であることを特徴とする。
また、請求項５は、請求項１記載の写真撮影サービス方法において、前記書き込み用の媒体は携帯電話であることを特徴とする。
また、請求項６の写真撮影サービスシステムは、被写体画像を含む撮影画像と被写体が所持する発信機が発する固有ＩＤ情報とを取得するデジタルカメラと、該デジタルカメラが取得した前記撮影画像とＩＤ情報とを記憶する画像サーバと、該画像サーバに記憶された撮影画像の中からＩＤ情報を基に検索して表示し、出力する撮影画像を決定する端末装置とからなる写真撮影サービスシステムにおいて、前記端末装置は前記画像サーバからグループ全員が所持する発信機のＩＤ情報を基に撮影画像を検索することを特徴とする。
また、請求項７は、請求項６記載の写真撮影サービスシステムにおいて、プリンタ装置を設け、前記出力が決定した撮影画像を前記プリンタ装置から印刷して提供することを特徴とする。
また、請求項８は、請求項６記載の写真撮影サービスシステムにおいて、フラッシュメモリへの書き込み装置を設け、前記出力が決定した撮影画像を前記フラッシュメモリへ書き込んで提供することを特徴とする。
また、請求項９のデジタルカメラは、撮影時に被写体画像を含む撮影画像を取得する撮像部と、被写体が所持する発信機が発する固有ＩＤ情報を取得するＩＤ情報入力部と、前記撮影画像およびＩＤ情報とを関連付けて画像記憶部に記憶する画像ファイル記憶部と、前記画像記憶部に記憶した撮影画像およびＩＤ情報とを出力する画像出力部とを備えたことを特徴とする。
また、請求項１０は、請求項９記載のデジタルカメラにおいて、前記ＩＤ情報入力部は、無線を用いて固有ＩＤ情報を取得することを特徴とする。
【発明の効果】
【０００５】
本発明によれば、顧客に効率よく所望とする写真を提供することが可能となる。また、デジタル処理なので、買って貰えなかった写真があってもごみが発生することはない。
【発明を実施するための最良の形態】
【０００６】
以下、図面を参照して、本発明の実施形態を詳細に説明する。
図１は、本発明の写真撮影サービスを実現するシステム構成図である。デジタルカメラ１００は、来園者（図示せず）が携帯する無線タグ２００との交信機能を持ち、撮影時に無線タグ２００が発するタグＩＤ等の被写体情報を撮影画像と共に取得する。また、デジタルカメラ１００はこのようにして取得した被写体情報と撮影画像とを園内のネットワーク６００を介して画像サーバ３００へ送る機能を有している。画像サーバ３００は、通常のパーソナルコンピュータで構成されており、複数のデジタルカメラ１００からの同様のデータ（被写体情報と撮影画像）を保持していて、所定の日数が経過したデータは削除するようになっている。
端末装置４００は、来園者グループのメンバー全員のタグＩＤを基に、撮影済みの画像からメンバーが映っている写真画像を画像サーバ３００より検索して、所望の写真画像を来園者に選択させて、指定された媒体（例えばプリンタ５００による印刷やフラッシュメモリ、携帯電話等）への出力を行う。端末装置４００は通常のパーソナルコンピュータと同様の機能で構成されているが、プリンタ５００と一体に構成したＭＦＰ（複合機）として実現してもよい。なお、端末装置４００は、園内のレストランや乗り物の側、出入り口近く、あるいは広場の一角等に複数設置しておくと利便性が向上する。
図２は、デジタルカメラ１００の処理手順を示す図である。遊園地の撮影スタッフ（複数でも可）はこのデジタルカメラ１００を携行し、来園者のスナップを撮影する。所定の被写体を見つけたら、アングルを決めて、例えばシャッターを反押しにすると、デジタルカメラ１００は無線タグ２００からの固有タグＩＤが取得できるようになっている（ステップ２０１、被写体情報の取得）。この無線タグ２００は、入園時の入場券に埋め込まれた紙のようなものでも、ペンダントの形をした首かけ、あるいはカードのような形状のものでも良い。電波の到達距離は１０メートル程度で電源を内蔵して、アクティブ動作を行うものがよいが、外部アンテナから電波を受けて発電するパッシブタイプのものでも良い。あるいはＢｌｕｅｔｏｏｔｈや赤外線（ＩｒＤＡ）等による通信手段を備え、固有のＩＤ情報を送信する機能を持ったものであれば良い。到達距離が極端に短いパッシブタイプの無線タグの場合は、撮影スタッフが被写体の側まで行ってタグＩＤを取得するようにしてから撮影してもよい（ステップ２０２）。撮影後は、園内の近くのアクセスポイントより被写体のＩＤ（タグＩＤ）と共に撮影した画像をネットワークを介して画像サーバ３００へ転送する（ステップ２０３）。
【０００７】
次に、上記のように撮影した写真の引渡し方法について説明する。図３は端末装置４００の処理手順を示す図である。来園者（グループ）は、端末装置４００の設置してある場所に行き、全員のタグＩＤを端末装置４００に入力する。これにより、これから検索する対象の来園者（グループ）の確認を行う（ステップ３０１）。この入力は、端末装置４００に接続されたタグリーダ（ＩＤ読出機）が各人の無線タグ２００のタグＩＤを自動的に読み込むようにしても、全員の無線タグ２００を一まとめにしてタグリーダの読み取り範囲に持っていってもよい。あるいは、入場券に併記されたタグＩＤをキーボードから入力するか、タグＩＤをバーコード印刷した部分をバーコードリーダから入力するようにしてもよい。
処理対象の来園者が決まると、端末装置４００は、画像サーバ３００に格納してある写真画像のうち、被写体情報として、先程入力したタグＩＤを持つ撮影画像のみを読み出す（ステップ３０２）。そして、図４のような、サムネイル（縮小画像）を画面に表示する（ステップ３０３）。端末装置４００は、このサムネイル画像を見た来園者が購入写真の候補として選択した画像を確認し、選択された個々の写真画像について図５に示すような購入の最終決定と出力先の入力を促す表示を行う（ステップ３０４）。そして端末装置４００はキャンセルされずに出力先（と出力枚数）が指示された写真画像に対して画像出力を行う（ステップ３０５）。
図４は、写真画像の選択を促す画面の表示例を示す図である。図中の大きな矩形はそれぞれ１枚の写真のサムネイル画像で、この矩形の中にあるＡ〜Ｃは被写体画像を示す。例えば、左上のＡ、Ｂは３人のグル−プで来園したＡ、Ｂ、ＣのうちＡとＢが映っている写真を意味する。大きな矩形の左上にある小さな矩形はチェックボックスで、購入したい写真の場合、ここをマウス等でクリックすると［購入します］のような表示が追加され、購入の意思が示されたものとする。グループ全員のタグＩＤで検索するメリットは、単独あるいはメンバーが欠けた状態で撮られた写真でも１回で検索できる点である。１人づつ検索すると手間がかかるばかりでなく、複数のメンバーで撮られた集合写真は重複して検索されるので非効率である。
図５は、購入の最終決定と出力先の入力を促す画面の表示例を示す図である。図中の中央付近の矩形は１枚の写真画像を示している。サムネイル画像では細部までわからない場合があるので、ここでの表示は大きな表示になっている。キャンセルの左側にあるチェックボックスをマウス等でクリックすると選択は取り消されて購入対象でなくなる。［メディアへ］をクリックするとフラッシュメモリ等の記憶メディアに画像データを記録する指示となる。また、プリンタへの出力を望む場合はプリントをクリックして枚数を入力するようになっている。実行をクリックすることでこの写真画像に対する指示は終了する。この時点で、所定の単価をかけて料金の計算を行い、出力する全部の写真について累積していき最後に合計金額を提示するようにすれば良い。
【０００８】
次に本発明の写真撮影サービスに使用するデジタルカメラ１００の構成を説明する。図６は、本発明のデジタルカメラ１００の要部機能構成を示すブロック図である。撮像部４１はレンズ、絞り調整、ピント調整、シャッター機構、撮像素子等から成る従来のデジタルカメラの撮像部と同様のもので、レンズによってＣＣＤ等の撮像素子に結像したアナログ信号をデジタルデータに変換する部分である。画像ファイル管理部４２は、撮像部４１が生成したデジタル画像を被写体を示すタグＩＤと共に画像記憶部４３へ格納する部分で、タグＩＤについては、無線通信路４５を通して入ってきた無線信号のうち、ＩＤ情報入力部４４が無線タグ２００のタグＩＤ信号のみを選択して画像ファイル管理部４２へ送る。画像出力部４６は、画像記憶部４３に記録された画像データおよび対応する被写体情報をネットワーク通信路４７を介して画像サーバ３００へ転送するものである。転送方法としては、通常のデジタルカメラと同様にＵＳＢインターフェースを用いる方法があり、本発明でも、複数設置してある端末装置４００にＵＳＢインターフェースと画像サーバ３００へ転送するプログラムを備えていれば、この方法でネットワーク６００を介して画像サーバ３００へ転送してもよい。あるいは園内に複数の無線アクセスポイントを設けておき無線ＬＡＮ（ＩＥＥＥ８０２．１１）やＢｌｕｅｔｏｏｔｈの通信手段を用いてもよい。
また、最近では大画面を有する多機能携帯電話が普及ており、これら携帯電話は、ネットワーク（インターネット）にも接続できる機能を有しており、またＢｌｕｅｔｏｏｔｈを内蔵するものもある。大画面、ネットワーク接続性、Ｂｌｕｅｔｏｏｔｈ内蔵の３つの機能を備えた携帯電話であれば、これらの携帯電話は端末装置４００と無線タグ２００との２つの機能を併せ持ったものに代用可能である。つまりこの携帯電話がタグ無線２００の代わりになり、また端末装置４００の代わりにもなり得る。
なお、本明細書では無線タグという表現を用いたが、ＲＦＩＤタグと同義である。また、タグＩＤはＲＦＩＤでタグが発する固有の識別符号と同義であるが、被写体を認識するのに固有の識別符号を発するものであればＲＦＩＤタグでなくてもよい。
【図面の簡単な説明】
【０００９】
【図１】本発明の写真撮影サービスを実現するシステム構成図。
【図２】デジタルカメラの処理手順を示す図。
【図３】端末装置の処理手順を示す図。
【図４】写真画像の選択を促す画面の表示例を示す図。
【図５】購入の最終決定と出力先の入力を促す画面の表示例を示す図。
【図６】本発明のデジタルカメラの要部機能構成を示すブロック図。
【符号の説明】
【００１０】
４１  撮像部
４２  画像ファイル管理部
４３  画像記憶部
４４  ＩＤ情報入力部
４５  無線通信路
４６  画像出力部
４７  ネットワーク通信路
１００  デジタルカメラ
２００  無線タグ
３００  画像サーバ
４００  端末装置
５００  プリンタ
６００  ネットワーク
【図１】
2005216092.tif 000003
【図２】
2005216092.tif 000004
【図３】
2005216092.tif 000005
【図４】
2005216092.tif 000006
【図５】
2005216092.tif 000007
【図６】
2005216092.tif 000008